(57)【要約】【課題】座部と背もたれ部との連結部で折り曲げた状態で容易に移動させることができる座椅子を提供する。【解決手段】座椅子は、座部１０と、背もたれ部２０とを備えており、座部１０の端部と背もたれ部２０の端部とを連結した第１連結部１０１で折り曲げた状態にすることができる。この座椅子は、第１連結部１０１と反対側に位置する足載せ部３０の先端部３１に設けられた第１車輪４０を備えている。【選択図】図１
2015066038.tif 000002
【特許請求の範囲】
【請求項１】
座部と、背もたれ部とを備えており、前記座部の端部と前記背もたれ部の端部とを連結した第１連結部で折り曲げた状態にすることができる座椅子であって、
前記第１連結部と反対側に位置する前記座部側の先端部に設けられた移動用回転体を備えていることを特徴とする座椅子。
【請求項２】
前記第１連結部側に設けられた持ち手を備えていることを特徴とする請求項１記載の座椅子。
【請求項３】
前記座部を床面上に置いた際、前記持ち手が前記座部の後方で前記床面に当接することを特徴とする請求項２記載の座椅子。
【請求項４】
前記第１連結部と反対側に位置する前記座部の端部に連結され、先端部に前記移動用回転体が設けられた足載せ部と、
前記座部と前記足載せ部とを連結した第２連結部に向けて前記座部及び前記足載せ部が昇り傾斜するように前記第２連結部側を上昇させる昇降装置とを備えていることを特徴とする請求項１乃至３のいずれか１項記載の座椅子。
【請求項５】
マッサージ施術装置を組み込んだことを特徴とする請求項１乃至４のいずれか１項記載の座椅子。
【請求項６】
前記足載せ部は前記マッサージ施術装置の機能部を内蔵していることを特徴とする請求項５記載の座椅子。
【発明の詳細な説明】
【技術分野】
【０００１】
本発明は座椅子に関するものである。
【背景技術】
【０００２】
特許文献１は従来のマッサージ施術装置を組み込んだ椅子を開示している。この椅子は、座部、背もたれ部、移動輪、及びジャッキ用空気袋を備えている。背もたれ部は、座部の後端部に連結されており、斜め上方後ろに向けて傾斜している。移動輪は座部の下端から後方に突出した突出部に設けられている。ジャッキ用空気袋は座部の下面の前側に取り付けられている。この椅子を移動させる際、先ず、ジャッキ用空気袋を膨張させる。座部の下方でジャッキ用空気袋が膨張するため、椅子は移動輪を支点にして後傾する。この際、背もたれ部を後方に引き寄せる手間を要しない。そして、背もたれ部に手をかけて椅子を更に後傾させて、椅子を移動させる。この際、椅子がジャッキ用空気袋によって後傾しているので、大きい操作力を要しない。また、床面に対して移動輪のみが椅子を支持した状態になり、移動輪が回転して、椅子を容易に移動させることができる。
【先行技術文献】
【特許文献】
【０００３】
【特許文献１】特開２００６−３４４４８号公報
【発明の概要】
【発明が解決しようとする課題】
【０００４】
しかし、特許文献１の椅子は背もたれ部が座部の後端部から斜め上方後ろに向けて傾斜して固定されている状態で移動させるものである。つまり、この椅子は背もたれ部に手をかけて椅子を後傾させて移動させるものである。このため、仮に背もたれ部の端部と座部の端部との連結部で折り曲げて、背もたれ部を座部の上方側へ傾斜させたり、背もたれ部を座部に重ねたりした場合、この椅子を後傾させたり、移動させたりしようとする際に手をかける部分がなくて無理な体勢で行うことになったり、そのために大きな力を要したりする。
【０００５】
本発明は、上記従来の実情に鑑みてなされたものであって、座部と背もたれ部との連結部で折り曲げた状態で容易に移動させることができる座椅子を提供することを解決すべき課題としている。
【課題を解決するための手段】
【０００６】
本発明の座椅子は、座部と、背もたれ部とを備えており、前記座部の端部と前記背もたれ部の端部とを連結した第１連結部で折り曲げた状態にすることができる座椅子であって、
前記第１連結部と反対側に位置する前記座部側の先端部に設けられた移動用回転体を備えていることを特徴とする。
【０００７】
この座椅子は、第１連結部を折り曲げた状態（背もたれ部を座部の上方側へ傾斜させたり、背もたれ部を座部に重ねたりした状態）にして、第１連結部側を持ち上げる。すると、座椅子は床面に対して座部側の先端部に設けられた移動用回転体のみが支持した状態になる。このため、この状態で座椅子を移動させようとすると、移動用回転体が回転して、容易に移動させることができる。
【０００８】
したがって、本発明の座椅子は座部と背もたれ部との連結部で折り曲げた状態で容易に移動させることができる。
【図面の簡単な説明】
【０００９】
【図１】実施例１の座椅子に着座した状態を示す斜視図である。
【図２】実施例１の座椅子であって、座部、背もたれ部及び足載せ部が同一面上に配置された状態を示す平面図である。
【図３】実施例１の座椅子であって、座部、背もたれ部及び足載せ部が同一面上に配置された状態を示す底面図である。
【図４】実施例１の座椅子であって、座部と足載せ部とが同一面上に配置された着座状態を示す断面図である。
【図５】実施例１の座椅子であって、第２連結部が屈曲した着座状態を示す断面図である。
【図６】実施例１の座椅子の移動状態を示す概略図である。
【図７】実施例２の座椅子の移動状態を示す概略図である。
【発明を実施するための形態】
【００１０】
本発明における好ましい実施の形態を説明する。
【００１１】
本発明の座椅子は前記第１連結部側に設けられた持ち手を備え得る。この場合、第１連結部で折り曲げた状態にした座椅子に対して、持ち手を把持して第１連結部側を容易に持ち上げることができる。また、持ち手を把持して座椅子を容易に移動させることができる。
【００１２】
前記座部を床面上に置いた際、前記持ち手が前記座部の後方で前記床面に当接し得る。この場合、座部を床面上に置いて背もたれ部が座部に対して任意の角度で展開した状態（座椅子に着座することができる状態）において、背もたれ部に後方向の力が加えられても、持ち手が座部の後方で床面に当接しているため、座椅子が後方へ転倒することを防止することができる。
【００１３】
本発明の座椅子は、前記第１連結部と反対側に位置する前記座部の端部に連結され、先端部に前記移動用回転体が設けられた足載せ部と、前記座部と前記足載せ部とを連結した第２連結部に向けて前記座部及び前記足載せ部が昇り傾斜するように前記第２連結部側を上昇させる昇降装置とを備え得る。この場合、昇降装置が第２連結部を上昇させて、第２連結部が屈曲する際、足載せ部の先端部に設けられた移動用回転体が回転し、足載せ部の先端部をスムーズに後方へ引き寄せることができる。このため、この座椅子は第２連結部をスムーズに上昇させ、屈曲させることができる。移動用回転体は、前記のように起立させた座椅子の移動時に活用されるのみならず、第２連結部が屈曲する際の足載せ部の引き寄せをスムーズにする効果を奏する。
【００１４】
本発明の座椅子はマッサージ施術装置を組み込み得る。マッサージ施術装置を組み込むことによって、座椅子の重量が増加してしまうが、第１連結部で折り曲げた状態にして、床面に対して移動用回転体が座椅子を支持し、移動用回転体が回転して座椅子を容易に移動させることができる。
【００１５】
前記足載せ部は前記マッサージ施術装置の機能部を内蔵し得る。この場合、重量物であるマッサージ施術装置の機能部（例えば、コンプレッサー、電源装置等）が足載せ部に収納される。このため、第１連結部で折り曲げた状態で座椅子を移動させる際、重量物が下方に位置し、安定して移動させることができる。また、この際、第１連結部側を軽くすることができるため第１連結部側を容易に持ち上げることができる。
【００１６】
次に、本発明の座椅子を具体化した実施例１及び２について、図面を参照しつつ説明する。
【００１７】
＜実施例１＞
実施例１の座椅子は、図１〜図５に示すように、座部１０、背もたれ部２０、足載せ部３０、移動用回転体である第１車輪４０、持ち手５０、及び昇降装置６０を備えている。また、座椅子は、座部１０、背もたれ部２０、及び足載せ部３０にマッサージ施術装置７０を組み込んでいる。また、座部１０、背もたれ部２０、及び足載せ部３０はクッション性を有している。また、座椅子は表面を表皮材で覆われている。
【００１８】
座部１０は、所定の厚みを有しており、床面Ｆ上に置いた状態で上方から見た平面視が略四角形状である。座部１０の一端部と背もたれ部２０の一端部とが連結されており、第１連結部１０１を構成している。また、第１連結部１０１の反対側の座部１０の他端部と足載せ部３０の一端部が連結されており、第２連結部１０２を構成している。
【００１９】
背もたれ部２０は、座部１０と同じ厚みであり、同じ左右幅を有している。背もたれ部２０は第１連結部１０１を構成する端部の縁部を直線状に形成している。背もたれ部２０は第１連結部１０１と反対側に位置する先端部２１を左右中央部が突出した円弧状に形成している。背もたれ部２０は、裏面（座椅子に着座した着座者の背中が当接する背もたれ面の反対側の面）の先端部２１の近傍に、帯状の連結帯２２の一方の端部が取り付けられている。連結帯２２は他方の端部に枕部材２３が取り付けられている。枕部材２３は連結帯２２が背もたれ部２０の先端部２１を乗り越えて背もたれ面側に配置することができる。この位置に配置された枕部材２３は座椅子に着座した着座者の後頭部が当接する。枕部材２３はクッション性を有している。
【００２０】
座部１０と背もたれ部２０とは、図４に示すように、角度調整可能な連結金具１２で連結されている。このため、この座椅子は、背もたれ部２０が座部１０に対して所望の角度で展開し、着座者が着座することができる。また、この座椅子は第１連結部１０１で折り曲げた状態（背もたれ部２０を座部１０の上方側へ傾斜させたり、背もたれ部２０を座部１０に重ねたりした状態）にすることができる。
【００２１】
足載せ部３０は、図１〜図５に示すように、座部１０と同じ厚みであり、同じ左右幅を有している。この足載せ部３０は床面Ｆ上に置いた状態で上方から見た平面視が略四角形状である。足載せ部３０は第２連結部１０２を構成する端部の縁部を直線状に形成している。足載せ部３０は第２連結部１０２と反対側に位置する先端部３１の左右角部が平面視で円弧状に形成されている。
【００２２】
座部１０と足載せ部３０とは、図４に示すように、座部１０と足載せ部３０とを床面Ｆ上に置いた状態（着座できるように座椅子を床面Ｆ上に置いた状態）から第２連結部１０２が上昇する方向に屈曲可能な連結金具１３で連結されている。このため、後述する昇降装置６０が第２連結部１０２を上昇させることによって、第２連結部１０２に向けて座部１０及び足載せ部３０が昇り傾斜した状態にすることができる。
【００２３】
第１車輪４０は、足載せ部３０の先端部３１であって、左右方向に離れた２か所に夫々１個ずつ取り付けられている。つまり、第１車輪４０は第１連結部１０１と反対側に位置する座部１０側の先端部に取り付けられている。更に詳しく説明すると、各第１車輪４０は足載せ部３０の先端部３１に平行に延びた軸部材４１に回転自在に取り付けられている。また、各第１車輪４０は、足載せ部３０を床面Ｆ上に置いた状態で、先端部の床面Ｆ側に位置し、床面Ｆ側の角部で外周面が前方及び下方に露出している。また、各第１車輪４０は、足載せ部３０を床面Ｆ上に置いた状態で、上方から見た平面視において、図２に示すように、足載せ部３０の先端縁より後方に位置し、目視することができない。このため、この座椅子は、着座した人の足が第１車輪４０に当たることを防止することができ、すっきりとした美観を与えることができる。
【００２４】
持ち手５０は、図１、及び図３〜図５に示すように、背もたれ部２０を連結した座部１０の端部から後方に延びている。この持ち手５０は表皮材に被覆されたパイプ部材５１で構成されている。パイプ部材５１は、直線状に延びた把持部５１Ａと、把持部５１Ａの両端で湾曲しながら屈曲し、同じ方向に延びた左右連結部５１Ｂとを有している。パイプ部材５１の左右連結部５１Ｂは、第１連結部１０１側の座部１０の端部であって、座部１０を床面Ｆ上に置いた際に床面Ｆに当接する裏面に近い位置から座部１０内に挿入され、固定されている。パイプ部材５１を被覆する表皮材は、第１連結部１０１側の座部１０の端縁全体から後方に延びてパイプ部材５１を被覆しており、パイプ部材５１の把持部５１Ａの左右中央部の近傍にパイプ部材５１の把持部５１Ａを掴む際に指を通すことができる開口５２が設けられている。
【００２５】
持ち手５０は、図４に示すように、座椅子を床面Ｆ上に置くと、表皮材を挟んでパイプ部材５１が位置する下面が床面Ｆに当接した状態になる。このため、座部１０を床面Ｆ上に置いて背もたれ部２０が座部１０に対して任意の角度で展開した状態（座椅子が着座することができる状態）において、背もたれ部２０に後方向の力が加えられても、持ち手５０が座部１０の後方で床面Ｆに当接しているため、座椅子が後方へ転倒することを防止することができる。
【００２６】
昇降装置６０は、図３〜図５に示すように、座部１０の裏面に開口した凹部１１内に収納されている。昇降装置６０は、前後方向に平行に延びており、先端部に第２車輪１４が取付けられた２本の棒状部材１５を有している。これら棒状部材１５は、第２車輪１４が取り付けられた先端部の反対側の端部が凹部１１内の後方で軸支されている。これら棒状部材１５は、図示しないモーターが駆動することによって、全体が凹部１１内に収納された状態（図４参照）と、軸支された端部を中心に回動し、第２車輪１４が取り付けられた先端部側が座部１０の裏面から突出した状態（図５参照）との間を変位する。このため、座部１０と足載せ部３０を床面Ｆ上に置いた状態で、棒状部材１５の第２車輪１４が取り付けられた先端部側が座部１０の裏面から突出するようにモーターを駆動すると、第２連結部１０２が上昇し、第２連結部１０２に向けて座部１０及び足載せ部３０が昇り傾斜した状態になる。この際、第２車輪１４が回転し、座部１０の全体が持ち手５０の把持部５１Ａを支点にして、第２連結部１０２に向かって昇り傾斜するようにスムーズに傾斜させることができる。また、足載せ部３０の先端部に設けられた第１車輪４０が回転し、足載せ部３０の先端部をスムーズに後方へ引き寄せることができる。このため、この座椅子は第２連結部１０２をスムーズに上昇させ、第２連結部１０２に向けて座部１０及び足載せ部３０が昇り傾斜するように第２連結部１０２を屈曲させることができる。
【００２７】
マッサージ施術装置７０は、図１及び図２に示すように、第１〜第７エアバッグ７１〜７７と、第１及び第２ヒーター７８、７９と、コンプレッサー８０と、電源装置９０とを有している。第１エアバッグ７１は座部１０の座面（座椅子に着座した着座者の臀部及び大腿部が当接する面）の左右縁部に沿って取り付けられている。左右の各第１エアバッグ７１は３つの袋体で構成されている。第１エアバッグ７１が膨張と収縮を繰り返すことによって、着座者の臀部及び大腿部を左右から挟み込んで締め付けることができる。第２エアバッグ７２は座部１０内の座面側に左右並んで収納されている。第２エアバッグ７２が膨張と収縮を繰り返すことによって、第２エアバッグ７２が収納された部分の座面が変形し、着座者の臀部及び大腿部を圧迫することができる。
【００２８】
第３エアバッグ７３は背もたれ部２０の背もたれ面の左右縁部に沿っており、着座者の肩が位置する高さに取り付けられている。左右の各第３エアバッグ７３は３つの袋体で構成されている。第３エアバッグ７３が膨張と収縮を繰り返すことによって、着座者の肩を左右から挟み込んで締め付けることができる。第４エアバッグ７４は、背もたれ部２０内の背もたれ面側であって、着座者の肩が位置する高さに左右並んで収納されている。第４エアバッグ７４が膨張と収縮を繰り返すことによって、第４エアバッグ７４が収納された部分の背もたれ面が変形し、着座者の肩を圧迫することができる。第５エアバッグ７５は背もたれ部２０内の背もたれ面側であって、着座者の腰部が位置する高さに左右並んで収納されている。第５エアバッグ７５が膨張と収縮を繰り返すことによって、第５エアバッグ７５が収納された部分の背もたれ面が変形し、着座者の腰部を圧迫することができる。
【００２９】
第６エアバッグ７６は足載せ部３０の足載せ面（着座者の小腿部が当接する面）の左右縁部に沿って取り付けられている。第６エアバッグ７６は３つの袋体で構成されている。第７エアバッグ７７は足載せ部３０の足載せ面の左右中央（第３エアバッグ７３の間）に取り付けられている。第６エアバッグ７６と第７エアバッグ７７との間に着座者の両足の小腿部の夫々が挟み込まれる。第６エアバッグ７６と第７エアバッグ７７とが膨張と収縮を繰り返すことによって、着座者の小腿部の夫々を左右から挟み込んで締め付けることができる。
【００３０】
第１ヒーター７８は、座部１０内の座面側であって、足載せ部３０側に収納されている。第１ヒーター７８によって着座者の大腿部を温めることができる。第２ヒーター７９は、背もたれ部２０の背もたれ面側であって第４エアバッグ７４と第５エアバッグ７５との間に収納されている。第２ヒーター７９によって着座者の背中を温めることができる。
【００３１】
マッサージ施術装置７０の機能部であるコンプレッサー８０と電源装置９０とは足載せ部３０内に収納されている。コンプレッサー８０は第１〜第７エアバッグ７１〜７７に空気路を通じて圧縮空気を供給する。電源装置９０は、コンプレッサー８０、第１及び第２ヒーター７８、７９を駆動するため電力を供給する。
【００３２】
このような構成を有する座椅子は、図６に示すように、第１連結部１０１を折り曲げて、座部１０と背もたれ部２０とが重なって折り畳まれた状態にし、持ち手５０を把持して第１連結部１０１側を持ち上げる。座部１０及び足載せ部３０が斜めに傾斜した状態に持ち上げると、床面Ｆに対して座部１０側の先端部である足載せ部３０の先端部３１に設けられた第１車輪４０のみが床面Ｆに対して座椅子を支持した状態になる。このため、この状態で座椅子を移動させようとすると、第１車輪４０が回転し、座椅子を容易に移動させることができる。
【００３３】
したがって、実施例１の座椅子は座部１０と背もたれ部２０との第１連結部１０１で折り曲げた状態で容易に移動させることができる。
【００３４】
また、この座椅子は、斜めに傾斜した座部１０及び足載せ部３０の上側に背もたれ部２０を重ねて移動させることができるため、座部１０と背もたれ部２０とを折り畳んだ状態にロックしなくても、座椅子を移動させることができる。このため、座部１０と背もたれ部２０とを折り畳んだ状態にロックするロック機構を必要としない。
【００３５】
また、持ち手５０を把持し、折り畳んだ状態の座椅子の第１連結部１０１側を容易に持ち上げることができる。また、持ち手５０を把持して座椅子を容易に移動させることができる。
【００３６】
また、座椅子はマッサージ施術装置７０が組み込まれることによって、重量が増加している。しかし、座椅子を折り畳んだ状態にして、床面Ｆに対して第１車輪４０が座椅子を支持し、第１車輪４０が回転して座椅子を容易に移動させることができる。この際、重量物であるマッサージ施術装置７０の機能部（コンプレッサー８０、電源装置９０）が足載せ部３０に収納されているため、重量物が下方に位置し、安定して移動させることができる。また、この際、第１連結部１０１側を軽くすることができるため第１連結部１０１側を容易に持ち上げることができる。
【００３７】
＜実施例２＞
実施例２の座椅子は、図７に示すように、第１連結部１０１と反対側に位置する座部１０側の先端部である足載せ部３０の先端部３１、及び背もたれ部１２０の先端部１２１に自在に向きが変わるキャスター１４０が取り付けられている点で実施例１と相違する。他の構成は実施例１と同様であり、実施例１と同一の構成は同一の符号を付して詳細な説明を省略する。
【００３８】
この座椅子は、背もたれ部１２０の長さと、座部１０及び足載せ部３０を合わせた長さとが略同じに形成されている。この座椅子は、足載せ部３０及び背もたれ部１２０の先端部３１、１２１から突出するようにキャスター１４０が取り付けられている。この座椅子は座部１０と背もたれ部２０とを折り畳んだ状態にロックすることができるロック機構（図示せず）を有している。
【００３９】
このような構成を有する座椅子は、第１連結部１０１を折り曲げて、座部１０及び足載せ部３０と、背もたれ部１２０とが重なって折り畳まれた状態にロックする。そして、座部１０と足載せ部３０、及び背もたれ部２０が直立状態になるように、持ち手５０を把持して第１連結部１０１側を持ち上げる。すると、床面Ｆに対して足載せ部３０及び背もたれ部２０の先端部から突出したキャスター１４０が座椅子を支持する状態になる。この状態でキャスター１４０が回転し、座椅子を容易に移動させることができる。
【００４０】
したがって、実施例２の座椅子も座部１０と背もたれ部２０との第１連結部１０１で折り曲げた状態で容易に移動させることができる。
【００４１】
本発明は上記記述及び図面によって説明した実施例１及び２に限定されるものではなく、例えば次のような実施例も本発明の技術的範囲に含まれる。
（１）実施例１及び２では、持ち手を備えていたが、持ち手を備えなくてもよい。
（２）実施例１及び２では、持ち手が座部の端部から後方に延びているが、座部又は背もたれ部の第１連結部側に設けてもよい。
（３）実施例１及び２では、座椅子を床面上に置くと、持ち手の下面が床面に当接したが、持ち手の一部が床面から離れていてもよい。
（４）実施例１及び２では、足載せ部が備えられていたが、足載せ部がなくてもよい。この場合、座部の先端部に第１車輪又はキャスターを取り付けることになる。
（５）実施例１及び２では、座椅子にマッサージ施術装置を組み込んだが、マッサージ施術装置を組み込まなくてもよい。
（６）実施例１及び２では、第１車輪及びキャスターが固定されていたが、座椅子の内部に収納され、移動時に突出するようにしてもよい。
（７）実施例１では、足載せ部の先端部に向きを変えることができない第１車輪を取付けたが、自在に向きを変えることができるキャスターを取り付けてもよい。
（８）実施例１及び２では、エアバッグ式のマッサージ施術装置を組み込んだが、ローラー式のマッサージ施術装置を組み込んでもよい。
（９）実施例１及び２では、座部と背もたれ部とが重なって折り畳まれた状態で移動したが、第１連結部で折り曲げて、背もたれ部を座部の上方側へ傾斜させた状態（背もたれ部と座部が開いている状態）で移動させてもよい。
【符号の説明】
【００４２】
１０…座部
２０…背もたれ部
３０…足載せ部
３１…先端部（第１連結部と反対側に位置する座部１０側の先端部）
４０…第１車輪（移動用回転体）
５０…持ち手
６０…昇降装置
７０…マッサージ施術装置（７１〜７７…第１〜第７エアバッグ、７８、７９…第１、第２ヒーター、８０…コンプレッサー、９０…電源装置）
１０１…第１連結部
１０２…第２連結部
Ｆ…床面
【図１】
2015066038.tif 000003
【図２】
2015066038.tif 000004
【図３】
2015066038.tif 000005
【図４】
2015066038.tif 000006
【図５】
2015066038.tif 000007
【図６】
2015066038.tif 000008
【図７】
2015066038.tif 000009